(57)【要約】【課題】対象者が所定の筆記行動を行った時点を識別可能に表示する。【解決手段】対象者の行動を逐次的に記録し、対象者が筆記行動を行った時刻を表す情報とともに、当該筆記行動に関わる情報を取得する。取得した筆記行動に関わる情報のうち、予め定められた条件を満足する筆記行動に関わる情報を検索し、当該検索によって見いだされた情報とともに取得された時刻を表す情報を抽出し、この抽出された情報で表される時刻の情報を用いて、記録された対象者の行動の提供に関わる所定処理を実行する情報記録装置である。【選択図】図１
2009176362.tif 000002
【特許請求の範囲】
【請求項１】
対象者の行動を逐次的に記録する記録手段と、
対象者が筆記行動を行った時刻を表す情報とともに、当該筆記行動に関わる情報を取得する取得手段と、
前記取得した筆記行動に関わる情報のうち、予め定められた条件を満足する筆記行動に関わる情報を検索し、当該検索によって見いだされた情報とともに取得された時刻を表す情報を抽出する抽出手段と、
前記抽出された情報で表される時刻の情報を用いて、前記記録された対象者の行動の提供に関わる所定処理を実行する実行手段と、
を含むことを特徴とする情報記録装置。
【請求項２】
前記抽出手段が、前記筆記行動に関わる情報を検索する条件は、対象者の筆圧、単位時間あたりの色材使用量、筆記具の移動速度、単位時間あたりの筆記の頻度の少なくともいずれかに基づく条件であることを特徴とする請求項１記載の情報記録装置。
【請求項３】
前記対象者が把持し、色材を媒体上に吐出する筆記具であって、前記対象者の筆記行動における対象者の筆圧、単位時間あたりの色材使用量、筆記具の移動速度、単位時間あたりの筆記の頻度の少なくともいずれかの情報を送信する筆記具との間で通信する通信手段をさらに有し、
前記取得手段は、当該通信手段を介して、前記対象者の筆記行動における対象者の筆圧、単位時間あたりの色材使用量、筆記具の移動速度、単位時間あたりの筆記の頻度の少なくともいずれかの情報を取得することを特徴とする請求項１または２記載の情報記録装置。
【請求項４】
前記対象者の筆記内容を記録する媒体、もしくは当該媒体に重ね合わせられる板状体であって、前記対象者の筆記行動における対象者の筆圧、筆記具の移動速度、単位時間あたりの筆記の頻度の少なくともいずれかの情報を送信する装置との間で通信する通信手段をさらに有し、
前記取得手段は、当該通信手段を介して、前記対象者の筆記行動における対象者の筆圧、単位時間あたりの色材使用量、筆記具の移動速度、単位時間あたりの筆記の頻度の少なくともいずれかの情報を取得することを特徴とする請求項１または２記載の情報記録装置。
【請求項５】
前記実行手段は、前記逐次的に記録された対象者の行動を表示するとともに、記録開始からの経過時間を表示し、
前記経過時間の表示において、前記抽出手段により抽出された情報で表される時刻に相当する部分を他の部分と識別可能な態様で表示する
ことを特徴とする請求項１から４のいずれか一項に記載の情報記録装置。
【請求項６】
コンピュータを、
対象者の行動を逐次的に記録する記録手段と、
対象者が筆記行動を行った時刻を表す情報とともに、当該筆記行動に関わる情報を取得する取得手段と、
前記取得した筆記行動に関わる情報のうち、予め定められた条件を満足する筆記行動に関わる情報を検索し、当該検索によって見いだされた情報とともに取得された時刻を表す情報を抽出する抽出手段と、
前記抽出された情報で表される時刻の情報を用いて、前記記録された対象者の行動の提供に関わる所定処理を実行する実行手段と、
として機能させることを特徴とするプログラム。
【発明の詳細な説明】
【技術分野】
【０００１】
本発明は、情報記録装置及びプログラムに関する。
【背景技術】
【０００２】
ビデオデータにおける音声データを文字列データに変換するステップＳ１と、この文字列データに対して、共通の話題が継続する単位で区切られるセグメント、これら各セグメントにおける話題、およびこれら各セグメント間の入れ子構造を同定するステップＳ２〜Ｓ７と、前記文字列データに含まれる各話題と、これら各話題に該当する前記ビデオデータの記録位置とを対応付けすると共に、前記同定された各セグメントにおける話題と各セグメント間の入れ子構造とを利用者に表示するステップＳ８とを設けた例が、特許文献１に開示されている。
【特許文献１】特開平５−３４２２６３号公報
【発明の開示】
【発明が解決しようとする課題】
【０００３】
例えば機器や設備の評価のため、機器や設備の利用者を観察の対象として、対象者の行動をビデオなどに時系列に記録しておき、後から分析することが行われている。こうした分析においては、かかる記録のうち注目するべき場面を、そうでない場面と識別させる技術が求められている。
【課題を解決するための手段】
【０００４】
請求項１記載の発明は、情報記録装置であって、対象者の行動を逐次的に記録する記録手段と、対象者が筆記行動を行った時刻を表す情報とともに、当該筆記行動に関わる情報を取得する取得手段と、前記取得した筆記行動に関わる情報のうち、予め定められた条件を満足する筆記行動に関わる情報を検索し、当該検索によって見いだされた情報とともに取得された時刻を表す情報を抽出する抽出手段と、前記抽出された情報で表される時刻の情報を用いて、前記記録された対象者の行動の提供に関わる所定処理を実行する実行手段と、を含むこととしたものである。
【０００５】
請求項２記載の発明は、請求項１記載の情報記録装置において、前記抽出手段が、前記筆記行動に関わる情報を検索する条件は、対象者の筆圧、単位時間あたりの色材使用量、筆記具の移動速度、単位時間あたりの筆記の頻度の少なくともいずれかに基づく条件であることとしたものである。
【０００６】
請求項３記載の発明は、請求項１または２記載の情報記録装置であって、前記対象者が把持し、色材を媒体上に吐出する筆記具であって、前記対象者の筆記行動における対象者の筆圧、単位時間あたりの色材使用量、筆記具の移動速度、単位時間あたりの筆記の頻度の少なくともいずれかの情報を送信する筆記具との間で通信する通信手段をさらに有し、前記取得手段は、当該通信手段を介して、前記対象者の筆記行動における対象者の筆圧、単位時間あたりの色材使用量、筆記具の移動速度、単位時間あたりの筆記の頻度の少なくともいずれかの情報を取得することとしたものである。
【０００７】
請求項４記載の発明は、請求項１または２記載の情報記録装置であって、前記対象者の筆記内容を記録する媒体、もしくは当該媒体に重ね合わせられる板状体であって、前記対象者の筆記行動における対象者の筆圧、筆記具の移動速度、単位時間あたりの筆記の頻度の少なくともいずれかの情報を送信する装置との間で通信する通信手段をさらに有し、前記取得手段は、当該通信手段を介して、前記対象者の筆記行動における対象者の筆圧、単位時間あたりの色材使用量、筆記具の移動速度、単位時間あたりの筆記の頻度の少なくともいずれかの情報を取得することとしたものである。
【０００８】
請求項５記載の発明は、請求項１から４のいずれか一項に記載の情報記録装置であって、前記実行手段は、前記逐次的に記録された対象者の行動を表示するとともに、記録開始からの経過時間を表示し、前記経過時間の表示において、前記抽出手段により抽出された情報で表される時刻に相当する部分を他の部分と識別可能な態様で表示することとしたものである。
【０００９】
請求項６記載の発明は、プログラムであって、コンピュータを、対象者の行動を逐次的に記録する記録手段と、対象者が筆記行動を行った時刻を表す情報とともに、当該筆記行動に関わる情報を取得する取得手段と、前記取得した筆記行動に関わる情報のうち、予め定められた条件を満足する筆記行動に関わる情報を検索し、当該検索によって見いだされた情報とともに取得された時刻を表す情報を抽出する抽出手段と、前記抽出された情報で表される時刻の情報を用いて、前記記録された対象者の行動の提供に関わる所定処理を実行する実行手段と、として機能させることとしたものである。
【発明の効果】
【００１０】
請求項１または６記載の発明によれば、対象者の筆記行動に基づく条件により、記録のうちから一部の場面を、そうでない場面と識別させることができる。
【００１１】
請求項２記載の発明によれば、対象者の筆記行動として、筆圧、筆記速度の情報等を条件として記録のうちから一部の場面を、そうでない場面と識別させることができる。
【００１２】
請求項３記載の発明によれば、筆記具から、筆記行動に関わる情報を取得できる。
【００１３】
請求項４記載の発明によれば、筆記具によって筆記をうける媒体等、記録体から筆記行動に関わる情報を取得できる。
【００１４】
請求項５記載の発明によれば、記録を再生表示する際に、再生開始からの時間経過に重ね合わせて条件に合致する部分を表示できる。
【発明を実施するための最良の形態】
【００１５】
本発明の実施の形態について図面を参照しながら説明する。本発明の実施の形態に係る情報記録装置１０は、図１に例示するように、制御部１１と、記憶部１２と、操作部１３と、表示部１４と、撮像部１５と、通信部１６とを含んで構成されている。
【００１６】
制御部１１は、ＣＰＵ（Central Processing Unit）等のプログラム制御デバイスであり、記憶部１２に格納されているプログラムに従って動作している。この制御部１１は、撮像部１５から入力される動画像データを記憶部１２に蓄積して記録する処理を実行する。また、この制御部１１は、通信部１６から入力される、対象者の筆記行動に関わる情報を記録する。さらに制御部１１は、記録された情報の再生を行い、このときに、指定された条件を満足する筆記行動が行われた時点での動画像データの部分を識別可能に表示する。これらの制御部１１の処理の具体的な内容については後に詳しく述べる。
【００１７】
記憶部１２は、ＲＡＭ（Random Access Memory）等の記憶素子や、ハードディスクなどのストレージデバイスを含んで構成されている。この記憶部１２は、制御部１１によって実行されるプログラムを保持している。このプログラムは、例えばＤＶＤ−ＲＯＭ（Digital Versatile Disc Read Only Memory）などのコンピュータ可読な記録媒体に格納されて提供され、この記憶部１２に複写されたものであってもよい。また、この記憶部１２は、制御部１１のワークメモリとしても動作する。
【００１８】
さらに、本実施の形態では、この記憶部１２には、撮像部１５にて撮像された動画像データや、対象者の筆記行動に関わる情報などが記録される。この記録の内容についても後に述べる。
【００１９】
操作部１３は、キーボードやマウスなどであり、利用者の操作を受け入れて、その操作の内容を表す情報を、制御部１１に出力する。表示部１４は、ディスプレイ等であり、制御部１１から入力される指示に従って、動画像データや、その再生のためのインタフェース画面を表示する。
【００２０】
撮像部１５は、例えばビデオ・キャプチャー・ボードと、それに接続されたビデオカメラＶとを含んで構成される。この撮像部１５は、予め定められたタイミングごとに静止画像を撮影し、撮像した静止画像を画像データに変換して逐次的に出力する。こうして一連の静止画像が撮像されることで、時系列に表示すれば動画像となる、動画像データが得られることとなる。撮像部１５は、この動画像データを制御部１１に出力する。
【００２１】
通信部１６は、例えばＵＳＢ（Universal Serial Bus）やブルートゥース（Blue Tooth）規格に基づく通信手段であり、外部のデバイスと情報の送受を行う。本実施の形態では、この通信部１６は、対象者が筆記行動をとるときに利用する筆記具や、媒体、または当該媒体を支持するボードなどとの間で通信を行う。
【００２２】
すなわち、本実施の形態の情報記録装置１０は、対象者の筆記行動を検出する装置としての筆記具などとの間で通信可能に接続される。この対象者の筆記行動を検出する筆記具２０は、図２に例示するように、ペンと同様の外観を備える。この筆記具２０は、図３に示すように、筐体２１と、筐体２１内に設けられた色材供給部２２と、センサ部２３と、記憶部２４と、外部インタフェース部２５と、プロセッサ部２６と、電源部２７とを含んで構成される。
【００２３】
色材供給部２２は、インクなどの色材を、媒体に当接するペン先から媒体上へ供給する。センサ部２３は、例えば色材供給部２２のペン先にかかる圧力を検出する歪みセンサなどであり、検出した結果を表す情報をプロセッサ部２６に出力する。
【００２４】
記憶部２４は、プロセッサ部２６により実行されるプログラムを保持する。このプログラムもまた、コンピュータ可読な記録媒体（例えばＤＶＤ−ＲＯＭなど）に格納されて提供され、この記憶部２４へ複写されたものであってもよい。また、この記憶部２４は、プロセッサ部２６のワークメモリとしても動作する。
【００２５】
外部インタフェース部２５は、例えばＵＳＢやブルートゥース（Blue Tooth）規格に基づく通信手段であり、プロセッサ部２６から入力される指示に従って、情報記録装置１０へ情報を送信する。プロセッサ部２６は、マイクロコンピュータなどであり、記憶部２４に格納されたプログラムに従って動作する。このプロセッサ部２６は、センサ部２３が検出して得た情報を外部インタフェース部２５を介して出力する。
【００２６】
電源部２７は、各部に電源を供給する。この電源部２７は、例えば二次電池であり、外部インタフェース部２５を介して供給される電力で充電されてもよい。
【００２７】
以上の構成を備えることにより、この例に係る筆記具２０は、対象者がペン先を媒体に当接させて、媒体に文字などを描くと、そのペン先にかかる力（筆圧）を歪みセンサであるセンサ部２３で検出する。このセンサ部２３は、例えば色材供給部２２が媒体への筆圧で筐体２１内へ押し戻される力（ペンの歪み）を検出し、当該検出した力の大きさを表す情報を、プロセッサ部２６に出力してもよい。この情報は、例えば、検出した力の大きさが、予め定めたしきい値を越えたか否かを表す二値の情報でもよいし、力（筆圧）の大きさそのものを表す情報であってもよい。
【００２８】
また、この筆記具２０のセンサ部２３は、筆記具２０の移動速度を検出してもよい。筆記具２０の移動速度は、色材供給部２２が供給する色材の単位時間あたりの使用量（減少量）で検出できる。この移動速度は、色材の減少量だけでなく、例えば媒体上で筆記具２０のペン先が接触している位置の情報を検出し、検出した位置の情報から単位時間あたりの移動距離を移動速度として検出してもよい。この場合は、媒体に、媒体上の位置を表すアドレス情報を埋め込んでおき、移動前の位置と移動後の位置とを検出し、その距離を算出した上で、移動中の時間で除して速度を求めればよい。アドレス情報の埋め込みは、例えば媒体上の位置ごとに、アドレス情報を表すパターン画像などを形成しておくことで行われる。このときにはセンサ部２３は、ペン先が接している位置のパターン画像を撮像するカメラであってもよい。プロセッサ部２６は、カメラで撮像されたパターン画像に基づき、ペン先が接している媒体の位置の情報を取得する。
【００２９】
この筆記具２０から、利用者の筆記行動を表す情報として、例えばペン先にかかる力が予め定めたしきい値を越えた（着筆している）と判断されるか否かを表す情報を受け入れると、情報記録装置１０の制御部１１は、当該情報が変化するごとに、その時点を表す時刻の情報を、図示しない計時部（カレンダーチップなど）から取得する。
【００３０】
そして制御部１１は、取得した時刻の情報と、変化後の状態を表す情報（着筆の開始を表す「始」または着筆の終了を表す「終」のいずれか）とを関連づけて、図４に示すようなデータを生成して記憶部１２に格納する。
【００３１】
一方で、制御部１１は、撮像部１５から逐次的に入力される画像データを記憶部１２に格納する処理を行っている。制御部１１は、入力される各静止画像の画像データに対し、入力された時点を表す時刻の情報を関連づけて、図５に示すように記憶部１２に格納する。ここでの時刻の情報も、図示しない計時部から取得すればよい。
【００３２】
制御部１１は、操作部１３を介する等して、記録した動画像データ（一連の静止画像の画像データ）を再生するべき旨の指示を受けると、図６に示すように、対象者の行動を撮影した動画像（Ｖ）と、動画像の開始（記録開始）からの経過時間を表す画像（Ｔ）とを表示する。
【００３３】
この図６では経過時間を表す画像（Ｔ）は、動画像データの記録開始から記録終了までの時間を線分（経過時間バー）で表しており、再生中の静止画像が記録された時刻（再生時刻）をカーソルＣの線分上の位置で表している。すなわち、線分の左端からカーソルＣの位置までの距離が、再生時刻に応じて変化する。また、利用者がカーソルＣを移動すると、その移動先の位置が表す時点に記録された静止画像から再生が再開されるものとする。
【００３４】
また、制御部１１は、図４に示した着筆の記録に基づき、着筆の開始から終了までの時点を表す画像を併せて表示する（Ｘ）。図４では、動画像データの再生時刻を表す経過時間バーに平行に、ほぼ同じ長さの線分（着筆状態バー）を表示し、このバー上で、着筆の開始があった時点から終了までの時点と、終了から開始までの時点とを異なる色で着色した例を示している。
【００３５】
着筆状態バー（Ｘ）において、その左端からの距離ｄの位置が表す時刻は、経過時間バーの左端から距離ｄの位置が表す時刻に等しくなっている。そのため、着筆があった時点を表す部分（着色されている部分）に対応する経過時間バーの部分が、着筆のあった時点における静止画像の情報を表す。つまり、着筆している時間に対応する位置にカーソルＣを移動させれば、着筆中の対象者の行動を撮影した動画像を再生させることとなる。
【００３６】
すなわち本実施の形態では、制御部１１は、図７に示すように、対象者を撮像した動画像と、対象者の筆記行動を表す情報とを並行して、同期可能な態様で記録する（Ｓ１）。本実施の形態では制御部１１が、動画像に含まれる静止画像の記録時刻と、筆記行動を表す情報の記録に用いる時刻とを共通の計時部から取得することで、同期を可能としている。
【００３７】
制御部１１は、記録終了後に、記録を再生する指示を受けると、記録した動画像を再生する処理を開始する（Ｓ２）とともに、動画像の再生時刻であって、予め定めた条件を満足する筆記行動があった時点に相当する時間帯を視認させる表示を行う（Ｓ３）。また、制御部１１は、こうした表示を行うだけでなく、動画像の情報に、インデックスの情報として、予め定めた条件を満足する筆記行動があった時点に相当する時間帯の開始時点（及び終了時点）を表す情報を含めてもよい。
【００３８】
また、筆記行動を表す情報として、ここでは着筆の開始・終了の時間を表す情報を提供しているが、これに限られるものではない。例えば単位時間あたりの筆記の頻度を表す情報を生成して提供してもよい。この頻度の情報は例えば次のようにして生成できる。まず、制御部１１は、着筆の終了時刻（ｔ2i、ただしｉ＝１，２，…の整数）から、次の着筆開始時刻（ｔ2i+1）までの時間間隔ΔＴiを得る。ΔＴi＝ｔ2i+1−ｔ2i
【００３９】
次に制御部１１は、演算した予め定めたしきい値ΔＴthを越えるΔＴi（ｉ＝ｉ_1，ｉ_2…）を抽出する。そして抽出したΔＴi（ｉ＝ｉ_1，ｉ_2…）の時間間隔で区切られる着筆の開始・終了の群を設定する。例えば、ΔＴi_1が抽出されている場合は、ｔ2i_1までの着筆の開始・終了の記録が一つのグループとして設定される。制御部１１は、設定したグループごとに固有のグループ識別子を割り当てて、着筆の記録に関連づけて保持させる（図８）。
【００４０】
制御部１１は、さらに各グループの先頭の記録（着筆の開始記録）から最後尾の記録（着筆の終了記録）までの時間Ｔj（ｊ＝１，２，…）を
Ｔj＝ｔ2i_j−ｔ2i_(j-1)+1
と算出する。ただし、ｊ−１＝０の場合は、
Ｔj＝ｔ2i_j−ｔ1
とする。
【００４１】
制御部１１は、各グループに属する着筆の回数（着筆開始から終了までの行動が行われる回数）を、その間の時間で除して、頻度ηを、
η＝（（ｉ_ｊ）−（ｉ_（ｊ−１）））／Ｔj
と求める。ただし、ｊ−１＝０の場合は、
η＝ｉ＿1／Ｔ1
とする。
【００４２】
こうしてグループごとに頻度を求めた後、制御部１１は、図６に示した着筆状態バーにおいて、当該頻度が予め定めたしきい値を越える時間帯に相当する部分を着色するなどして、その他の部分と識別可能に表示する。
【００４３】
この場合、着筆頻度が高い時間帯が視認され、それに相当する時間帯にカーソル（Ｃ）を移動すれば、対象者の行動を撮像した動画像が表示される。
【００４４】
さらに、筆記具２０が筆圧の情報を出力している場合、制御部１１は、当該筆圧の情報を用いて、例えば筆圧が所定の値を越える、または所定の値に満たないなど、筆圧に関わる所定条件を満足する時間帯を、着筆状態バーにおいて識別可能に表示してもよい。
【００４５】
さらに、筆記具２０が移動速度の情報を出力している場合、制御部１１は、当該移動速度の情報を用いて、例えば移動速度が所定の値を越える、または所定の値に満たないなど、筆記具２０の移動速度に関わる所定条件を満足する時間帯を、着筆状態バーにおいて識別可能に表示してもよい。
【００４６】
さらに、筆記具２０から得られる種々の情報、例えば着筆頻度やグループ内での平均的な筆圧、移動速度などの情報に基づく統計演算結果、またはこれらに基づき予め定めた計算式による特徴量を演算し、かかる統計演算結果や特徴量が予め定めた条件を満足する時間帯を、着筆状態バーにおいて識別可能に表示してもよい。
【００４７】
さらに、ここまでの説明では対象者の筆記行動を検出する装置として、筆記具を例として説明したが、筆記を受け入れる媒体、または当該媒体に重ね合わせられ、媒体を下方から支える板状の画板（板状体）が、対象者の筆記行動における対象者の筆圧、筆記具の移動速度、単位時間あたりの筆記の頻度の少なくともいずれかの情報を検出して送信する装置（以下、媒体側装置と呼ぶ）として機能してもよい。
【００４８】
この場合、媒体側装置３０は、図９に模式的に示すように、センサ部３１と、記憶部３２と、外部インタフェース部３３と、プロセッサ部３４と、電源部３５とを備える。
【００４９】
センサ部３１は、筆記される面での押圧（圧力のかかった位置や圧力など）を検知する。例えばこのセンサ部３１は、感圧シートなどを用いることで実現できる。
【００５０】
記憶部３２は、プロセッサ部３４の実行するプログラムを保持する。このプログラムは、ＤＶＤ−ＲＯＭなどのコンピュータ可読な記録媒体に格納されて提供され、この記憶部３２に複写されたものであってもよい。また、この記憶部３２は、プロセッサ部３４のワークメモリとしても動作する。
【００５１】
外部インタフェース部３３は、例えばＵＳＢやブルートゥース（Blue Tooth）規格に基づく通信手段であり、プロセッサ部３４から入力される指示に従って、情報記録装置１０へ情報を送信する。プロセッサ部３４は、マイクロコンピュータなどであり、記憶部３２に格納されたプログラムに従って動作する。このプロセッサ部３４は、センサ部３１が検出して得た情報を外部インタフェース部３３を介して出力する。
【００５２】
電源部３５は、各部に電源を供給する。この電源部３５は、例えば二次電池であり、外部インタフェース部３３を介して供給される電力で充電されてもよい。
【００５３】
この媒体側装置３０は、対象者が筆記具を媒体に当接させて、媒体に文字などを描くと、媒体または媒体を通じて受ける力（筆圧）をセンサ部３１で検出する。そしてセンサ部３１が当該検出した力の大きさを表す情報を、プロセッサ部３４に出力してもよい。この情報は、検出した力の大きさが、予め定めたしきい値を越えたか否かを表す二値の情報でもよいし、力（筆圧）の大きさそのものを表す情報であってもよい。
【００５４】
さらに、この媒体側装置３０では、筆記位置の移動速度を検出してもよい。筆記位置の移動速度は、単位時間あたりの筆記位置の移動量を用いて検出する。すなわち媒体側装置３０では、筆記位置が検出されると、つまり、筆記具が媒体に接してから離れるまで（着筆の開始から終了まで）の間、予め定めたタイミングごと（例えば所定時間Δｔごと）に筆記位置を検出する。そして検出した筆記位置を表す座標（ｘ，ｙ）を用いて、その移動距離（ユークリッド距離）を時間Δｔで除して部分ごとの移動速度ｖi（ｉ＝１，２…）を求めておく。そして、着筆の開始から終了までに検出した各部分ごとの移動速度の平均値などの統計量を算出して、筆記位置の移動速度の情報を生成して出力する。
【００５５】
このように、筆記具ではなく媒体側装置３０が、対象者の筆記行動に係る情報を検出して出力する場合も、本実施の形態の情報記録装置１０は、筆記具から当該情報を得る場合と同様に動作する。
【００５６】
なお、ここまでの説明では、情報記録装置１０において、静止画像の記録時刻の情報や、筆記行動に係る情報の受け入れ時刻を記録することとしていたが、本実施の形態はこれに限られない。例えば、撮像部１５に接続されたビデオカメラＶが、計時部を備えて、逐次的に撮像した静止画像の画像データとともに、当該画像データの撮像時刻を表す情報を関連づけて出力してもよい。
【００５７】
このとき制御部１１は、撮像部１５から逐次的に入力される画像データを記憶部１２に格納する際に、計時部から取得した時刻の情報に代えて、撮像部１５から入力される画像データに関連づけられた撮像時刻の情報を関連づけて記録することとすればよい。
【００５８】
また、筆記具２０や媒体側装置３０もまた、計時部を備えて、筆記行動を表す情報を記録するごとにその時点の情報を計時部から取得し、筆記行動を表す情報と取得した時刻の情報とを関連づけて出力するようにしてもよい。
【００５９】
この場合、制御部１１は、記録の開始に先立って、ビデオカメラＶや筆記具２０、または媒体側装置３０に対して、時刻の情報を送出し、ビデオカメラＶや筆記具２０、または媒体側装置３０の備える計時部での計時時刻を補正させてもよい。これにより、記録の時刻を一致させるのである。
【００６０】
さらにこのようにして、ビデオカメラＶや、筆記具２０、媒体側装置３０が記録の対象となる情報とともに、その情報の記録の時点を表す情報を関連づける場合、ビデオカメラＶや、筆記具２０、媒体側装置３０が情報を一時的に記憶して保持し、記録の終了後に記憶した情報を一括して情報記録装置１０へ出力することとしてもよい。
【図面の簡単な説明】
【００６１】
【図１】本発明の実施の形態に係る情報記録装置の例を表す構成ブロック図である。
【図２】本発明の実施の形態に係る情報記録装置に接続される筆記具の例を表す概要図である。
【図３】本発明の実施の形態に係る情報記録装置に接続される筆記具の例を表す概略断面図である。
【図４】本発明の実施の形態に係る情報記録装置が記録する筆記行動の情報例を表す説明図である。
【図５】本発明の実施の形態に係る情報記録装置が記録する画像データの例を表す説明図である。
【図６】本発明の実施の形態に係る情報記録装置の再生画面例を表す説明図である。
【図７】本発明の実施の形態に係る情報記録装置の動作例を表すフローチャート図である。
【図８】本発明の実施の形態に係る情報記録装置が記録する筆記行動の情報例を表す説明図である。
【図９】本発明の実施の形態に係る情報記録装置に接続される媒体側装置の構成例を表す概略ブロック図である。
【符号の説明】
【００６２】
１０  情報記録装置、１１  制御部、１２  記憶部、１３  操作部、１４  表示部、１５  撮像部、１６  通信部、２０  筆記具、２１  筐体、２２  色材供給部、２３，３１  センサ部、２４，３２  記憶部、２５，３３  外部インタフェース部、２６，３４  プロセッサ部、２７，３５  電源部、３０  媒体側装置
【図１】
2009176362.tif 000003
【図２】
2009176362.tif 000004
【図３】
2009176362.tif 000005
【図４】
2009176362.tif 000006
【図５】
2009176362.tif 000007
【図６】
2009176362.tif 000008
【図７】
2009176362.tif 000009
【図８】
2009176362.tif 000010
【図９】
2009176362.tif 000011